(57)【特許請求の範囲】
【請求項１】
第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、
該色差変換マトリックス回路よりの色差変換された第１及び第２の出力色差信号を、それぞれ第１及び第２の係数信号と共に供給する第１及び第２の最大値入力抽出回路と、
該第１及び第２の最大値入力抽出回路の出力から上記第１及び第２の係数信号をそれぞれ減算する第１及び第２の減算器と、
該第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有することを特徴とする色信号抽出回路。
【請求項２】
第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、
該色差変換マトリックス回路よりの色差変換された第１及び第２の出力色差信号を、それぞれ第１及び第２の係数信号と共に供給する第１及び第２の最大値入力抽出回路と、
該第１及び第２の最大値入力抽出回路の出力から上記第１及び第２の係数信号をそれぞれ減算する第１及び第２の減算器と、
該第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路と、
該最小値入力抽出回路からの抽出色信号が供給される第５及び第６の可変利得増幅器と、
上記第１及び第２の入力色差信号並びに上記第５及び第６の可変利得増幅器からの抽出色信号をそれぞれ加算する第３及び第４の加算器とを有し、
該第３及び第４の加算器より、色相補正された第３及び第４の出力色差信号を得るようにしたことを特徴とする色相補正装置。
【請求項３】
第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、該色差変換マトリックス回路よりの色差変換された第１及び第２の出力色差信号を、それぞれ第１及び第２の係数信号と共に供給する第１及び第２の最大値入力抽出回路と、該第１及び第２の最大値入力抽出回路の出力から上記第１及び第２の係数信号をそれぞれ減算する第１及び第２の減算器と、該第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有する複数の色信号抽出器が並列接続されてなり、
該複数の色信号抽出器の各上記最小値入力抽出回路は、共通の最小値入力抽出回路に置換されてなることを特徴とする色信号抽出回路。
【請求項４】
第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、該色差変換マトリックス回路よりの色差変換された第１及び第２の出力色差信号を、それぞれ第１及び第２の係数信号と共に供給する第１及び第２の最大値入力抽出回路と、該第１及び第２の最大値入力抽出回路の出力から上記第１及び第２の係数信号をそれぞれ減算する第１及び第２の減算器と、該第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有する複数の色信号抽出器が並列接続され、
該複数の色信号抽出器の各上記最小値入力抽出回路は、共通の最小値入力抽出回路に置換され、
該共通の最小値入力抽出回路からの抽出色信号が供給される第５及び第６の可変利得増幅器と、
並列接続された上記第１及び第２の入力色差信号並びに上記第５及び第６の可変利得増幅器からの抽出色信号をそれぞれ加算する第３及び第４の加算器とを有し、
該第３及び第４の加算器より、色相補正された第３及び第４の出力色差信号を得るようにしたことを特徴とする色相補正装置。
【発明の詳細な説明】
【０００１】
【発明の属する技術分野】
本発明はカラービデオカメラの色再現調整に適用して好適な色信号抽出回路及び色相補正装置に関する。
【０００２】
【従来の技術】
カラービデオカメラでは、３原色の信号の生成方式や補色の方式が異なるものであっても、ＣＣＤ固体撮像素子等の撮像素子が持っている特性の不完全性を補正し、その特性のばらつきを吸収することで、測色学的に忠実な色再現が得られるようにしている。
【０００３】
図１１を参照して、色差変換装置の従来例を説明する。カラービデオカメラの撮像素子からの３原色の信号、即ち、赤信号Ｒ、緑信号Ｇ、青信号Ｂを、図示を省略したＮＴＳＣマトリクス回路に供給して、輝度信号Ｙ、赤色差信号（Ｒ−Ｙ）及び青色差信号（Ｂ−Ｙ）を得る。そして、輝度信号Ｙはそのままとし、赤色差信号（Ｒ−Ｙ）及び青色差信号（Ｂ−Ｙ）を、色差変換装置に供給して、色差変換を行う。
【０００４】
ここで、赤色差信号（Ｒ−Ｙ）を信号ｘ、青色差信号（Ｂ−Ｙ）を信号ｙとして、それぞれ入力端子１、２に供給し、出力端子１′、２′に色差変換された信号ｘ′、ｙ′、即ち、色差変換された赤色差信号（Ｒ−Ｙ）′及び青色差信号（Ｂ−Ｙ）′を得る。
【０００５】
図１１において、３、４、５及び６は、それぞれ可変利得増幅器、７、８はそれぞれ加算器である。入力端子１よりの信号ｘを増幅器３を通じて、加算器７に供給すると共に、入力端子２よりの信号ｙを増幅器５を通じて、加算器７に供給して、各増幅器３及び５の出力を加算して、出力端子１′に信号ｘ′を得る。入力端子２よりの信号ｙを増幅器４を通じて加算器８に供給すると共に、入力端子１よりの信号ｘを増幅器６を通じて加算器８に供給して、各増幅器４、６の出力を加算して、出力端子２′に信号ｙ′を得る。
【０００６】
この図１１の色差変換装置において、例えば、肌色（赤色と黄色の中間色）を、黄色方向に色相回転させるには、増幅器６の利得を増加させれば良い。しかし、このように増幅器６の利得を増加させると、肌色が黄色方向に色相回転するのみならず、同時にシアン、緑に対しても色相回転が生じる。
【０００７】
即ち、図１１の色差変換装置では、特定の色に着目して色差変換を行おうとすると、他の色までも色差変換されてしまうため、必ずしも好ましい色が得られない場合が生じる。
【０００８】
そこで、全ての色が比較的良好になるような妥協点に、増幅器３〜６の利得を調整することになるので、全ての色に対して必ずしも最適な色再現性が得られない。
【０００９】
次に、その他の従来の技術を簡単に述べる。先ず、「色空間におけるカラー画像の選択的色調整」（金森、小寺、電子画像学会誌１８巻５号，１９８９）には、メンバーシップ関数で色領域を指定して、最終的には３次元の、補正用ルックアップテーブル（ＬＵＴ）を使用する。ソフトウェア的には、データ量が大きく、又、ハードウェアで実現しようとするときは、規模が大きくなってしまう。
【００１０】
次に、「特色分離色補正」（田島、「カラー画像複製論」、丸善、pp.71-74,1996 ）には、アルゴリズムが比較的簡単なため、ソフトウェアによる選択的色補正で広く用いられているが、補正できる色の選択自由度が極めて少ない。
【００１１】
更に、「任意色相に対する特色補正機能」（井上、田島、第３回映像センシングシンポジウム、１９９７）は、上述の「特色分離色補正」の欠点を改善し、ＨＳＶとＲＧＢいずれの空間に対しても自由度の高い選択的補正を可能とするものである。しかしながら、人間の色感覚との整合性が良いＨＳＶ空間上の補正では、画素データ毎に色相の角度計算が必要となるため、ハードウェアとして実現しようとする場合には、規模が大きくなってしまう。又、角度方向に対して非対称な色領域指定を行おうとすると、規模が増大し処理が複雑化する。
【００１２】
【発明が解決しようとする課題】
次に、図７を参照して、先行例の色信号抽出回路を説明する。先ず、色差変換マトリックス回路１０について説明する。カラービデオカメラの撮像素子からの３原色の信号、即ち、赤信号Ｒ、緑信号Ｇ、青信号Ｂを、図示を省略したＮＴＳＣマトリクス回路に供給して、輝度信号Ｙ、赤色差信号（Ｒ−Ｙ）及び青色差信号（Ｂ−Ｙ）を得る。そして、輝度信号Ｙはそのままとし、赤色差信号（Ｒ−Ｙ）及び青色差信号（Ｂ−Ｙ）を、色相補正装置に供給して、色差変換を行う。
【００１３】
ここで、赤色差信号（Ｒ−Ｙ）を信号ｘ、青色差信号（Ｂ−Ｙ）を信号ｙとして、それぞれ入力端子１、２に供給し、出力端子１′、２′に色差変換された信号ｘ′、ｙ′、即ち、色差変換された赤色差信号（Ｒ−Ｙ）′及び青色差信号（Ｂ−Ｙ）′を得る。
【００１４】
図７において、３、４、５及び６は、それぞれ可変利得増幅器、７、８はそれぞれ加算器である。入力端子１よりの信号ｘを増幅器３を通じて、加算器７に供給すると共に、入力端子２よりの信号ｙを増幅器５を通じて、加算器７に供給して、各増幅器３及び５の出力を加算して、出力端子１′に信号ｘ′を得る。入力端子２よりの信号ｙを増幅器４を通じて加算器８に供給すると共に、入力端子１よりの信号ｘを増幅器６を通じて加算器８に供給して、各増幅器４、６の出力を加算して、出力端子２′に信号ｙ′を得る。
【００１５】
１１、１２はそれぞれ最大値入力抽出回路で、それぞれ信号ｘ′、ｙ′及び０が供給されて、それぞれ最大値入力が出力されるが、これら最大値入力抽出回路１１、１２は、実質的にはスライス回路である。最大値入力抽出回路１１、１２の各出力が、最小値入力抽出回路１３に供給され、出力端子１４に抽出色信号が出力される。
【００１６】
最大値入力抽出回路１１、１２に、大きさｐ、角度θの色差信号
【００１７】
【数１】
0004462655.tif 000002
【００１８】
が供給されたとき、最小値入力抽出回路１３から、抽出色信号
【００１９】
【数２】
0004462655.tif 000003
【００２０】
が得られる。
【００２１】
図１０に、図７の色信号抽出回路を用いた先行例の色相補正総理を示す。出力端子１４よりの抽出色信号を、可変利得増幅器２１、２２をそれぞれ通じて、それぞれ加算器２３、２４に供給すると共に、入力端子１、２からの信号ｘ、ｙを、それぞれ加算器２３、２４に供給してそれぞれ加算し、出力端子２５、２６にそれぞれ色相補正された赤色差信号及び青色差信号が得られる。
【００２２】
この先行例の色信号抽出回路によれば、可変利得増幅器３〜６の各利得を計算して設定することにより、図８に図示したような抽出領域が指定できる。色抽出境界半値線ｂ１、ｂ２のｘ軸に対する角度をそれぞれθ１、θ２としたとき、これら半値線ｂ１、ｂ２上での抽出信号は０である。ｘ軸となす角θm の半値線ｂm 上で、抽出信号は、角度方向に最大値をとる。又、抽出信号は半値線上を原点からの距離に比例して増加する。θm ＝（θ1 ＋θ2 ）／２を標準的な設定とするが、それに限らず自由な設定が可能である。
【００２３】
図７の色信号抽出回路において、θ1 ＝１１０deg 、θ2 ＝１６０deg 、θm ＝１４５deg となるように設定したときの抽出色信号出力の様子を、３次元上にプロットしたものを図９に示す。この図９において、ＣＲ、ＣＢは信号ｘ、ｙのレベル値を示し、ｚ軸は抽出値を示す。
【００２４】
この図７の先行例の色信号抽出回路は、抽出境界での不連続性がなく、色相角に対して非対称な領域設定が可能である。
【００２５】
しかし、この図７の先行例の色信号抽出回路は、抽出できる色領域は、原点Ｏを頂点とする扇型の範囲のみであるという欠点があった。
【００２６】
かかる点に鑑み、本発明は、色差平面上での自由度の高い色信号抽出を可能にした色信号抽出回路を提案しようとするものである。
【００２７】
又、本発明は、自由度の高い色相補正の可能な色相補正装置を提案しようとするものである。
【００２８】
【課題を解決するための手段】
本発明による色信号抽出回路は、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有するものである。
【００２９】
かかる本発明によれば、第１及び第２の入力色差信号を、色差変換マトリックス回路に供給して、色差変換された第１及び第２の出力色差信号を得、その色差変換マトリックス回路よりの色差変換された第１及び第２の出力色差信号を、それぞれ第１及び第２の係数信号と共に第１及び第２の最大値入力抽出回路に供給し、第１及び第２の減算器によって、第１及び第２の最大値入力抽出回路の出力から第１及び第２の係数信号をそれぞれ減算し、その第１及び第２の減算器の各出力を最小値入力抽出回路に供給して、前記第１及び第２の入力色差信号で規定される色差平面上の任意の位置に、色抽出領域の所定の頂点の位置が設定された抽出色信号を出力する。
【００３０】
【発明の実施の形態】
本発明による色信号抽出回路は、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有するものである。
【００３１】
また、本発明の色相補正装置は、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路と、その最小値入力抽出回路からの抽出色信号が供給される第１及び第２の可変利得増幅器と、第１及び第２の入力色差信号並びに最小値入力抽出回路からの抽出色信号をそれぞれ加算する第３及び第４の加算器とを有し、その第３及び第４の加算器より、色相補正された第３及び第４の出力色差信号を得るようにしたものである。
【００３２】
また、本発明の色信号抽出回路は、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有する複数の色信号抽出器が並列接続されてなり、その複数の色信号抽出器の各最小値入力抽出回路は、共通の最小値入力抽出回路に置換されてなるものである。
【００３３】
また、本発明の色差補正装置は、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有する複数の色信号抽出器が並列接続され、その複数の色信号抽出器の各最小値入力抽出回路は、共通の最小値入力抽出回路に置換され、その共通の最小値入力抽出回路からの抽出色信号が供給される第１及び第２の可変利得増幅器と、並列接続された第１及び第２の入力色差信号並びに共通の最小値入力抽出回路からの抽出色信号をそれぞれ加算する第３及び第４の加算器とを有し、その第３及び第４の加算器より、色相補正された第３及び第４の出力色差信号を得るようにしたものである。
【００３４】
〔発明の実施の形態の具体例〕
図１を参照して、本発明の実施の形態の具体例の色信号抽出回路を説明する。
先ず、色差変換マトリックス回路１０について説明する。カラービデオカメラの撮像素子からの３原色の信号、即ち、赤信号Ｒ、緑信号Ｇ、青信号Ｂを、図示を省略したＮＴＳＣマトリクス回路に供給して、輝度信号Ｙ、赤色差信号（Ｒ−Ｙ）及び青色差信号（Ｂ−Ｙ）を得る。そして、輝度信号Ｙはそのままとし、赤色差信号（Ｒ−Ｙ）及び青色差信号（Ｂ−Ｙ）を、色差変換マトリックス回路１０に供給して、色差変換を行う。
【００３５】
ここで、赤色差信号（Ｒ−Ｙ）を信号ｘ、青色差信号（Ｂ−Ｙ）を信号ｙとして、それぞれ入力端子１、２に供給し、出力端子１′、２′に色差変換された信号ｘ′、ｙ′、即ち、色差変換された赤色差信号（Ｒ−Ｙ）′及び青色差信号（Ｂ−Ｙ）′を得る。
【００３６】
図１において、３、４、５及び６は、それぞれ可変利得増幅器、７、８はそれぞれ加算器である。入力端子１よりの信号ｘを増幅器３を通じて、加算器７に供給すると共に、入力端子２よりの信号ｙを増幅器５を通じて、加算器７に供給して、各増幅器３及び５の出力を加算して、出力端子１′に信号ｘ′を得る。入力端子２よりの信号ｙを増幅器４を通じて加算器８に供給すると共に、入力端子１よりの信号ｘを増幅器６を通じて加算器８に供給して、各増幅器４、６の出力を加算して、出力端子２′に信号ｙ′を得る。
【００３７】
１１、１２はそれぞれ最大値入力抽出回路で、それぞれ信号ｘ′、ｙ′及び係数信号Ｃoffx  、Ｃoffyが供給されて、それぞれ最大値入力が出力される。そして、減算器１５、１６において、最大値入力抽出回路１１、１２の出力信号からそれぞれ係数信号Ｃoffx  、Ｃoffyを減算する。そして、その各減算器１５、１６の出力を最小値入力抽出回路１４に供給して、出力端子１４に抽出色信号を出力する。
【００３８】
図７の先行例の色信号抽出回路の場合は、扇型色抽出領域の頂点がｘｙ直交平面の原点Ｏに固定されていたが、この図１の色信号抽出回路によれば、扇型色抽出領域の頂点の位置をｘｙ直交平面内の任意の位置に設定することができる。
【００３９】
図１の色信号抽出回路において、θ1 ＝１１０deg 、θ2 ＝１６０deg 、θm ＝１４５deg となるように設定したときの抽出色信号出力の様子を、３次元上にプロットしたものを図３に示す。この図３において、ＣＲ、ＣＢは信号ｘ、ｙのレベル値を示し、ｚ軸は抽出値を示す。この場合は、扇型色抽出領域の頂点の位置を、ｘｙ直交平面の点（−０．２，０．２）に設定した場合である。
【００４０】
図２に、図１の色信号抽出回路を２つ、並列に接続して組み合わせた具体例の色信号抽出回路を示す。図１の色信号抽出回路を２つ設けて、それぞれの対応する部分の符号の後にそれぞれＡ、Ｂを付加して示す。色差変換マトリックス回路１０Ａ、１０Ｂの各入力端子１、２を並列接続して、新たな入力端子１、２とする。色差変換マトリックス回路１０Ａ、１０Ｂの各出力信号を、ｘ′、ｙ′及びｘ″、ｙ″として、それぞれの最大値入力抽出回路１１Ａ、１２Ａ及び１１Ｂ、１２Ｂに供給する。又、最大値入力抽出回路１１Ａ、１２Ａ及び１１Ｂ、１２Ｂ並びに減算器１５Ａ、１６Ａ及び１５Ｂ、１６Ｂに、それぞれ係数信号Ｃoffx′、Ｃoffy′；Ｃoffx″、Ｃoffy″を供給する。そして、減算器１５Ａ、１６Ａ及び１５Ｂ、１６Ｂの各出力を、共通の最小値入力抽出回路１３に供給して、出力端子１４に、最小値入力からなる抽出色信号を出力するようにする。
【００４１】
図２の色信号抽出回路における抽出色信号出力の様子を、３次元上にプロットしたものを図４に示す。この図４において、ＣＲ、ＣＢは信号ｘ、ｙのレベル値を示し、ｚ軸は抽出値を示す。この場合は、線分で囲まれた領域の指定を可能とし、この図１の色信号抽出回路によれば、扇型色抽出領域の頂点の位置をｘｙ直交平面内の任意の位置に設定することができる。そして、色差平面上での自由度の一層高い色信号抽出を可能にした色信号抽出回路を得ることができる。
【００４２】
図１及び図２の色信号抽出回路の具体例によれば、補正範囲境界では色信号抽出回路の出力が０となり、境界の不連続性の問題が生じないことや扇型色信号抽出領域の補正中心（補正出力が角度方向に最大となる半値線）を補正領域内で任意に設定可能であるという利点を有する。
【００４３】
図５に、図１の色信号抽出回路を用いた具体例の色相補正装置を示す。出力端子１４よりの抽出色信号を、可変利得増幅器２１、２２をそれぞれ通じて、それぞれ加算器２３、２４に供給すると共に、入力端子１、２からの信号ｘ、ｙを、それぞれ加算器２３、２４に供給してそれぞれ加算し、出力端子２５、２６にそれぞれ色差変換された赤色差信号及び青色差信号が得られる。
【００４４】
色差平面上での色の取り扱いは、色相と飽和度を軸として考えるのが一般的であるが、本発明の実施の形態の具体例では、２種類の色差信号の各軸からなる直交座標系を直接使用している。コンピュータ画像を含む殆ど全ての画像信号／画像データは、このような直交座標系の色差信号の取り扱いを採用しているため、それらの信号方式との整合性が良く、補正のために色信号を位相と飽和度のデータに変換する必要がない。補正ブロックの係数を求めるには、角度を考慮した計算を必要とするが、実際の信号処理部を含めたハードウェアでの実現に適している。
【００４５】
図６に、図２の色信号抽出回路を用いた具体例の色相補正装置を示す。出力端子１４よりの抽出色信号を、可変利得増幅器２１、２２をそれぞれ通じて、それぞれ加算器２３、２４に供給すると共に、入力端子１、２からの信号ｘ、ｙを、それぞれ加算器２３、２４に供給してそれぞれ加算し、出力端子２５、２６にそれぞれ色相補正された赤色差信号及び青色差信号が得られるようにして、色相補正装置を構成する。
【００４６】
【発明の効果】
本発明によれば、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有するので、色差平面上での自由度の高い色信号抽出を可能にした色信号抽出回路を得ることができる。
【００４７】
また、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路と、その最小値入力抽出回路からの抽出色信号が供給される第１及び第２の可変利得増幅器と、第１及び第２の入力色差信号並びに最小値入力抽出回路からの抽出色信号をそれぞれ加算する第３及び第４の加算器とを有し、その第３及び第４の加算器より、色相補正された第３及び第４の出力色差信号を得るようにしたので、自由度の高い色相補正の可能な色相補正装置を得ることができる。
【００４８】
また、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有する複数の色信号抽出器が並列接続されてなり、その複数の色信号抽出器の各最小値入力抽出回路は、共通の最小値入力抽出回路に置換されてなるので、色差平面上での自由度の一層高い色信号抽出を可能にした色信号抽出回路を得ることができる。
【００４９】
また、第１及び第２の入力色差信号を、たすき掛け状に配された４つの可変利得増幅器を通じて、それぞれ第１及び第２の加算器に供給して、色差変換された第１及び第２の出力色差信号を得る色差変換マトリックス回路と、その色差変換マトリックス回路よりの色差変換された第１及び第２の出力色差信号を、それぞれ第１及び第２の係数信号と共に供給する第１及び第２の最大値入力抽出回路と、その第１及び第２の最大値入力抽出回路の出力から第１及び第２の係数信号をそれぞれ減算する第１及び第２の減算器と、その第１及び第２の減算器の各出力を供給して、前記第１及び第２の入力色差信号で規定される色差平面上の任意の位置に、色抽出領域の所定の頂点の位置が設定された抽出色信号を出力する最小値入力抽出回路とを有する複数の色信号抽出器が並列接続され、その複数の色信号抽出器の各最小値入力抽出回路は、共通の最小値入力抽出回路に置換され、その共通の最小値入力抽出回路からの抽出色信号が供給される第１及び第２の可変利得増幅器と、並列接続された第１及び第２の入力色差信号並びに共通の最小値入力抽出回路からの抽出色信号をそれぞれ加算する第３及び第４の加算器とを有し、その第３及び第４の加算器より、色相補正された第３及び第４の出力色差信号を得るようにしたので、一層自由度の高い色相補正の可能な色相補正装置を得ることができる。
【図面の簡単な説明】
【図１】本発明の実施の形態の具体例の色信号抽出回路を示すブロック線図である。
【図２】本発明の実施の形態の他の具体例の色信号抽出回路を示すブロック線図である。
【図３】図１の色信号抽出回路による色信号抽出の例を示す３次元グラフである。
【図４】図２の色信号抽出回路による色信号抽出の例を示す３次元グラフである。
【図５】本発明の実施の形態の具体例の色相補正装置である。
【図６】本発明の実施の形態の具体例の色相補正装置である。
【図７】先行例の色信号抽出回路を示すブロック線図である。
【図８】図６の先行例の色信号抽出回路の色信号抽出領域を示す３次元グラフである。
【図９】図６の先行例の色信号抽出回路の場合の色信号抽出領域を示す３次元グラフである。
【図１０】先行例の色相補正装置を示すブロック線図である。
【図１１】従来例の色差変換装置を示すブロック線図である。
【符号の説明】
１、２  入力端子、３〜６  利得可変増幅器、７、８  加算器、１１、１２  最大値入力抽出回路、１３  最小値入力抽出回路、１４  出力端子。
【図１】
0004462655.tif 000004
【図２】
0004462655.tif 000005
【図３】
0004462655.tif 000006
【図４】
0004462655.tif 000007
【図５】
0004462655.tif 000008
【図６】
0004462655.tif 000009
【図７】
0004462655.tif 000010
【図８】
0004462655.tif 000011
【図９】
0004462655.tif 000012
【図１０】
0004462655.tif 000013
【図１１】
0004462655.tif 000014